(57)【要約】【課題】猪等の害獣の田畑への侵入を防止するための電気柵に使用され、この電気柵の張設された裸電線の下方の地表に敷設する、草類の生長を抑制するための防草シートであって、敷設された防草シートに打設される先端が丸みをおびた電気柵用支柱であっても、容易に打設することのできる電気柵用防草シートを提供すること。【解決手段】シートの長手方向に沿った化学繊維の細帯の一部を抜いて織り込み、これによって電気柵用支柱２を打設するための支柱打設部２３を形成した。この支柱打設部２３を形成したことにより、電気柵用支柱２の打設が非常に容易で短い時間で電気柵の設置を行うことができる。【選択図】図２
2005087032.tif 000002
【特許請求の範囲】
【請求項１】
田畑の周囲に裸電線を張設し、この裸電線に衝撃電圧を印加して、害獣の田畑への侵入を防止する電気柵において、その張設された裸電線の下方の地表に敷設する、化学繊維の細帯を織って作られた電気柵用防草シートであって、シートの長手方向に沿った細帯のうちの単数本又は複数本を抜いて織り込み、電気柵用支柱を打設するための支柱打設部を形成したことを特徴とする電気柵用防草シート。
【請求項２】
前記支柱打設部は、シートの幅方向中央部に形成されている請求項１に記載の電気柵用防草シート。
【請求項３】
前記支柱打設部の両端に位置する細帯の色を、他の細帯とは異なる色にしている請求項１又は２に記載の電気柵用防草シート。
【発明の詳細な説明】
【技術分野】
【０００１】
本発明は、猪などの害獣の田畑への侵入を防止するための電気柵を設置する場合において  田畑の周囲に張設された裸電線の下方の地表における草類の生長を抑えるために、この張設された裸電線の下方の地表に敷設する電気柵用防草シートに関する。
【背景技術】
【０００２】
中山間地域の農村地帯では、田畑を荒らす猪等の害獣を電気ショックで撃退するために電気柵が多く使用されている。
【０００３】
この電気柵は図６に示すように、田畑の周囲に打設された電気柵用支柱２に取り付けられた碍子１ａ、碍子１ｂに裸電線３ａ、裸電線３ｂを係止して、裸電線３ａ、裸電線３ｂを田畑の周囲に張設し、その裸電線３ａ、裸電線３ｂを約５０ｍごとに裸電線からなる上下結線４で結線したものである。地表より１段目の裸電線３ｂは地表より約２０ｃｍ程度、２段目の裸電線３ａは裸電線３ｂの上方約２０ｃｍ程度の比較的低い位置に張設されている。そして、この張設された裸電線３ａ、裸電線３ｂに、電池もしくはバッテリー等を電源としている衝撃電圧発生器５より発生された衝撃電圧が印加されている。
【０００４】
田畑に侵入しようとして、この張設された裸電線３ａもしくは裸電線３ｂに接触した猪等の害獣には図６中の矢印のように衝撃電圧発生器５の出力端子６、出力線７、裸電線３ａ、上下結線４、裸電線３ｂ、猪８、地中９、アース棒１０、アース線１１、アース端子１２の順路で衝撃電流が流れ、猪８は電気ショックにより電撃を受け、田畑へ侵入する意欲を失い、侵入をあきらめる。
【０００５】
この電気柵において地表より１段目の裸電線３ｂの高さは地表より約２０ｃｍと低いため、裸電線３ｂの下の地表の草類が生長し、この草類が裸電線３ｂ及び裸電線３ａに接触すると  衝撃電流はこの接触した草類を通して地中へ漏電することになる。この漏電は裸電線３ｂまたは裸電線３ａに触れる草類の数が増えるのに略比例して多くなり、そして、漏電が多くなれば多くなるほど衝撃電圧発生器５から裸電線３ａ、裸電線３ｂにかかる衝撃電圧は減少することになる。その結果、猪等の害獣に有効な衝撃電流を与えることができなくなる。
【０００６】
したがって、猪等の害獣が裸電線３ｂまたは裸電線３ａに触れると害獣に電気ショックを与えるという電気柵のこの忌避効果を維持するためには、裸電線３ｂまたは裸電線３ａに接触している草類、または、接触しようとしている草類を常に取り除く作業が必要である。このため、従来の電気柵では設置コース上に除草剤を使用することも実施されている。
【０００７】
しかしながら、近年除草剤の環境への影響や地盤が緩む等の理由で、除草剤を使用しない場合も多く見られる。除草剤を使用しない場合は、草類が生長し、電気柵の裸電線に触れようとする度に草類の刈り払い作業を頻繁に行う必要がある。
【０００８】
そして、電気柵用支柱付近に生えた草類を刈り払い機により刈り払おうとすれば、その電気柵用支柱に誤って刈り払い機の回転している刃物を当ててしまい、電気柵用支柱を切断または破損させてしまうのが常であるために、電気柵用支柱付近に生えた草類は手作業によって草取りをする必要があり、これには、大変な手間がかかり、作業者の負担が極めて大きいという問題があった。
【０００９】
この手作業で草取りをするという大変な手間をなくす為、例えば特許文献１に開示されているような、化学繊維の細帯を織って作られた防草シートが使用されている。防草シートは幅約６０ｃｍ〜９０ｃｍ程度、長さは任意である。一般的に幅６０ｃｍ、長さ１００ｍのものがロール状に巻かれたものが市販されている。この防草シートを裸電線の下方の地表に敷設すると防草シートで覆われた地面では長期間草類の成長が抑制される。
【００１０】
また、本願出願人は、特願２００２−１０６１４２号において、衝撃電流をよく通すため金属線を織り込んだ防草シートを提案している。
【００１１】
図７は一般的な従来の防草シート３０の平面図であり、  図８は図７中の一部３１の拡大図である。
【００１２】
この防草シート３０は図８に示すように、ポリプロピレン製の幅約２ｍｍ、厚さ約０．４ｍｍ程度の化学繊維の細帯を縦横に織り込んで形成されたものである。この細帯の色は周囲の景観を損ねないように、また、耐候性を高めるため一般的に黒色系が使用される。この防草シート３０を敷設した地面では長期間にわたって草類の成長が抑制される。
【００１３】
この防草シート３０の敷設施工では、第一工程として、猪等の害獣の侵入が予想される、田畑の周囲の電気柵の裸電線を張設する位置のあぜ道などに、止め杭等でこの防草シートを敷き詰める。第二工程として、直径２０ｍｍ、長さ１ｍ程度の電気柵用支柱を、概略４ｍ間隔でこの防草シートのほぼ中央付近に打設する。第三工程として、この打設された電気柵用支柱に碍子を取り付け、第四に、この碍子に裸電線が係止される。
【００１４】
ここで、上記の第二工程で電気柵用支柱を打設する場合、図９に示すように防草シート３０を突き破って打ち立てねばならない。この時、図９のように先端が金属の槍のように鋭く尖った支柱５０であれは、容易に化学繊維の細帯で織られた防草シート３０を突き破ることはできる。
【００１５】
しかし、通常、図６に示した電気柵に使用される電気柵用支柱２は、もともとトマト、ナス等の作物が倒れないように使用されるもので、作物に接近して打ち立てられる。そして、作物の接近の地面はよく耕され、フワフワと柔らかくなっている。従って電気柵用支柱２の先端は、槍の様に鋭く尖っている必要はなく、例えば図１０に示すように多少丸みをおびている。
【００１６】
そしてまた、それらの電気柵用支柱２は、必要以上に鋭く尖っていると、取り扱う人に傷を付けることが予想される。必要以上に先端が尖っていて、人を傷付けたりすると  製造物責任（ＰＬ責任）が問われ問題となる。従って、電気柵用支柱２の先端は最小限度の尖り具合であって、丸みをおびているのが通常である。
【００１７】
この丸みをおびた電気柵用支柱２を、防草シート３０を敷いた電気柵用の支柱として使用する時、防草シート３０を突き破ることは非常に困難であり、電気柵用支柱２を打ち込もうとすると、電気柵用支柱２の先端に沿って防草シート３０が地面の深い位置まで埋め込まれてしまい、防草シート３０には窪みはできるが穴はあかない。そして防草シート３０は、例えば図１１に示すようにいびつな形になったり、その結果、防草シート３０が引っ張られ  防草シート３０を地面に固定する止め杭等の位置で破れたりするという問題が生じていた。
【特許文献１】特開平１０−４２７２０号公報
【発明の開示】
【発明が解決しようとする課題】
【００１８】
本発明が解決しようとする課題は、猪等の害獣の田畑への侵入を防止するための電気柵に使用され、この電気柵の張設された裸電線の下方の地表に敷設する、草類の生長を抑制するための防草シートであって、敷設された防草シートに打設される先端が丸みをおびた電気柵用支柱であっても、容易に打設することのできる電気柵用防草シートを提供することにある。
【課題を解決するための手段】
【００１９】
前記課題を解決するため、本発明の電気柵用防草シートは、シートの長手方向に沿った化学繊維の細帯の一部を抜いて織り込み、これによって電気柵用支柱を打設するための支柱打設部を形成したものである。
【００２０】
すなわち、本発明は、田畑の周囲に裸電線を張設し、この裸電線に衝撃電圧を印加して、害獣の田畑への侵入を防止する電気柵において、その張設された裸電線の下方の地表に敷設する、化学繊維の細帯を織って作られた電気柵用防草シートであって、シートの長手方向に沿った細帯のうちの単数本又は複数本を抜いて織り込み、電気柵用支柱を打設するための支柱打設部を形成したことを特徴とする。
【００２１】
本発明において、支柱打設部は、シートの幅方向中央部に形成することが好ましく、支柱打設部の両端に位置する細帯の色は、他の細帯とは異なる色とすることが好ましい。
【発明の効果】
【００２２】
本発明の電気柵用防草シートによれば、シートの長手方向の細帯を抜いて織り込み、その細帯を抜いた部分を電気柵用支柱を打設するための支柱打設部としたことにより、電気柵用支柱の打設が非常に容易で短い時間で電気柵の設置を行うことができる。
【００２３】
また、本発明の電気柵用防草シートは、長手方向の細帯を抜くだけであるから低価格で製造できる。
【００２４】
そして、電気柵用防草シートを敷設した範囲の草類の生長が抑えられるため、草類の刈り払いに要する時間と手間が不要になるか、または大幅に削減することができる。
【発明を実施するための最良の形態】
【００２５】
以下、本発明の電気柵用防草シートを、猪等の害獣撃退用電気柵に適用した例によって、本発明の実施の形態を説明する。
【００２６】
図１は、本発明の電気柵用防草シート２０の平面図であり、図２は図１の電気柵用防草シートの一部２１の拡大図である。
【００２７】
本発明の電気柵用防草シート２０は、図１及び図２に示すように、耐候性ポリプロピレン製の幅約２．０ｍｍ、厚さ約０．４ｍｍ程度の細帯２２を縦横に織り込んで形成されたもので、図７及び図８に示した従来の防草シート３０の中央部の長手方向に沿った細帯３２ａ〜３２ｄの４本の細帯を抜いた状態でその他の細帯を織り込んだものに相当する。この長手方向の細帯を抜いた箇所が、電気柵用支柱を打設するための支柱打設部２３となる。
【００２８】
細帯２２の色は、全体的には周囲の景観を損なわないよう、また、耐候性を高めるために一般的に黒色系が使用されるが、上述した支柱打設部２３の位置がよく分かるように、支柱打設部２３の両側の細帯２２ａ，２２ｂについては、黒色でなく別の色の例えば銀色の細帯を織り込み、支柱打設部２３の位置がはっきり分かるようにしている。
【００２９】
上記実施例では、抜いた細帯は４本であるが、４本に限定するものでなく状況により４本より多い場合もあり少ない場合もある。
【００３０】
さらに上記実施例では、幅方向のほぼ中央部の細帯を抜いたが、細帯を抜く位置は、中央部に限定するものでなく適宜自由な位置でよい。ただし、中央部に電気柵用支柱を打設するのが防草効果上最適であるので、中央部の細帯を抜くのが一般的である。
【００３１】
以下、本発明の電気柵用防草シート２０を敷設し、電気柵を設置する手順を図３を参照して説明する。
【００３２】
まず、田畑の周囲に電気柵を施工するコースを決定し、この決定された電気柵を施工するコース上に草類が生えているなら、そのコース上の草類を１ｍ程度の幅のラインで刈り払う。電気柵を施工するコース上の草類を刈り払い終えたら、電気柵の施工コースに本発明の電気柵用防草シート２０を図３のように敷いていく。電気柵用防草シート２０は幅６０〜９０ｃｍ程度で長さが約１００ｍ程度あり、図４に示すように反物状に巻かれているので、転がすようにして本発明の電気柵用防草シート２０を敷いてゆく。
【００３３】
次に、図３に示すように、電気柵用防草シート２０のほぼ中央部の支柱打設部２３（この支柱打設部２３は上述のように、その両側の細帯を銀色にしているのでよく目につく。）に電気柵用支柱２を打設する。支柱打設部２３は、上述のように長手方向の細帯を抜いて形成されているので、図５に示すように電気柵用支柱２は支柱打設部２３を容易に突き抜けて打設することができ、これによって、電気柵用防草シート２０は仮固定される。
【００３４】
電気柵用支柱２を打設していく間隔は、現場地形が平坦であれば３ｍ〜５ｍの間隔でよい。電気柵用支柱２が地中に打設される部分の深さは、電気柵用支柱２の長さが本実施例では約１ｍであるので約２５ｃｍ位が理想であるが、地面が硬く電気柵用支柱２が地中に打設される部分の深さが２５ｃｍに満たなくとも  電気柵用支柱２がぐらつかずに、ある程度固定されれば問題ない。
【００３５】
全ての電気柵用支柱２を打設し、敷き終えた電気柵用防草シート２０の仮固定を終えた後は、電気柵用防草シート２０を押止し固定するために、電気柵用防草シート２０の幅方向の両端より５ｃｍ程の各位置に止め杭４０を押し込み押止していく。止め杭４０を押止していく間隔は５０ｃｍ〜２ｍと電気柵用支柱２を打設した時ほどに気を配る必要はない。
【００３６】
ここまでの作業で電気柵用防草シート２０を敷設し終わると、後は通常の電気柵施工方法と同じである。
【００３７】
本実施例の猪用電気柵では、打設された電気柵用支柱２に地表より約２０ｃｍの高さに碍子１ｂを取り付け、その碍子１ｂの上方約２０ｃｍの位置に碍子１ａを取り付け、碍子１ａに裸電線３ａを係止し、碍子１ｂに裸電線３ｂを係止し裸電線を田畑の周囲に張設する。
【００３８】
上下２段の裸電線３ａと裸電線３ｂは約５０ｍごとに裸電線からなる上下結線４で結線し電気的に接続する。そして、電気柵の衝撃電圧発生器５を据え付け、衝撃電圧発生器５の出力端子６から出ている出力線７を裸電線３ａに電気的に接続し、また、衝撃電圧発生器５のアース端子１２にアース線１１を取り付け、そのアース線１１の先に接続されたアース棒１０を地中９に打ち込む。
【００３９】
以上の作業で、本発明の電気柵用防草シート２０を用いた電気柵の施工が整い、完了する。本発明の電気柵用防草シートを使用することにより電気柵用支柱の打設が容易で短い時間で設置を完了することができる。
【００４０】
そして、電気柵の裸電線の下方の地表に敷設された電気柵用防草シート２０の下の草類の生長は抑制され、除草が不要となるか、または大幅に削減できる。また、長手方向の細帯を抜いて形成した支柱打設置部２３の下においても  長手方向の細帯と直交する細帯は残存しているので、草類の生長は十分抑制される。
【００４１】
さらに、電気柵用防草シート２０は化学繊維の細帯で織られているので、これを敷設することによって、その部分のぬかるみを防止できる。特に、本実施例のように、化学繊維としてポリプロピレンを使用すると、電気柵用防草シート２０の耐候性・耐久性・耐薬品性が向上するとともに、その表面が滑りにくくなる。
【産業上の利用可能性】
【００４２】
本発明は、電気柵が設置される箇所の地表における草類の生長を抑えるため、地表に敷設される防草シートとして有用である
【図面の簡単な説明】
【００４３】
【図１】本発明の電気柵用防草シートの平面図である。
【図２】本発明の電気柵用防草シートの平面の部分拡大図である。
【図３】本発明の電気柵用防草シートを用いた電気柵の設置例を示す概要図である。
【図４】本発明の電気柵用防草シートの全体図である。
【図５】本発明の電気柵用防草シートの支柱打設部に電気柵用支柱を打設した状態を示す斜視図である。
【図６】従来の電気柵の設置例を示す概要図である。
【図７】従来の電気柵用防草シートの平面図である。
【図８】本発明の電気柵用防草シートの平面の部分拡大図である。
【図９】先端が尖った支柱を従来の電気柵用防草シートに打ち込んだ状態を示す断面図である。
【図１０】一般的な電気柵用支柱の先端を示す斜視図である。
【図１１】図１０に示す一般的な電気柵用支柱を従来の電気柵用防草シートに打ち込もうとしたときの電気柵用防草シートの状態を示す斜視図である。
【符号の説明】
【００４４】
１ａ、１ｂ  碍子
２  電気柵用支柱
３ａ、３ｂ  裸電線
４  上下結線
５  衝撃電圧発生器
６  出力端子
７  出力線
８  猪
９  地中
１０  アース棒
１１  アース線
１２  アース端子
２０  電気柵用防草シート
２１  電気柵用防草シートの一部
２２  細帯
２２ａ、２２ｂ  支柱打設部の両側の細帯
２３  支柱打設部
３０  従来の電気柵用防草シート
３１  従来の電気柵用防草シートの一部
３２、３２ａ〜３２ｄ  細帯
４０  止め杭
５０  支柱
【図１】
2005087032.tif 000003
【図２】
2005087032.tif 000004
【図３】
2005087032.tif 000005
【図４】
2005087032.tif 000006
【図５】
2005087032.tif 000007
【図６】
2005087032.tif 000008
【図７】
2005087032.tif 000009
【図８】
2005087032.tif 000010
【図９】
2005087032.tif 000011
【図１０】
2005087032.tif 000012
【図１１】
2005087032.tif 000013